(57)【要約】【課題】  本体を揺すって収集物を分別する際の操作性を向上させるとともに、受板前端から収集物を飛び出しにくくして、収集物の分別精度の向上を図る。【解決手段】  収集物Ｗを受ける本体１と、本体１を吊下して把持可能な柄部２０とを備え、本体１の受板２に複数の篩孔６を形成するとともに篩孔６の開度を調節するスライド板１０を設け、柄部２０を、主杆２１と、主杆２１の上端側に前後方向に進退動可能に設けられた把持可能な棒状の把持杆２２とを備え、把持杆２２の後退時に後端側が前端側より長く突出し、把持杆２２の進出時に前端側が後端側より長く突出するように把持杆２２の長さ寸法を定め、且つ、後退時の把持杆２２を把持したとき受板２２の受面２２ａが前下がりに傾斜し、進出時の把持杆２２を把持したとき受板２２の受面２２ａが前上がりに傾斜するように、主杆２１の下端の本体１の上板５に対する連結位置を定めた。【選択図】  図１
2018038887.tif 000002
【特許請求の範囲】
【請求項１】
収集物を受ける受面を有した受板と、該受板の側部に連接される一対の側板と、上記受板及び側板の後部に連設される後板とを備えた本体を備え、該本体に該本体を正面から見て上記受板の幅方向に沿う幅方向線が水平になるように該本体を吊下して把持可能な柄部を設けた塵取であって、上記受板に所定の大きさ以下の収集物が通過可能な複数の篩孔を形成し、該受板に上記篩孔の開度を調節するスライド板をスライド可能に設けた塵取において、
上記柄部を、下端が上記本体に連結され上下方向に軸線を有した棒状の主杆と、該主杆の上端側に上記受板の前後方向に軸線を有するとともに該前後方向に進退動可能に設けられた把持可能な棒状の把持杆とを備えて構成し、上記把持杆の後退時に上記主杆を基準とした後端側が前端側より長く突出して把持可能になり、該把持杆の進出時に上記主杆を基準とした前端側が後端側より長く突出して把持可能になるように該把持杆の長さ寸法を定め、且つ、上記把持杆の後退時に該把持杆の後端側を把持したとき上記本体を側面から見て上記受板の受面が前下がりに傾斜し、上記把持杆の進出時に該把持杆の前端側を把持したとき上記本体を側面から見て上記受板の受面が前上がりに傾斜するように、上記主杆の下端の上記本体に対する連結位置を定めたことを特徴とする塵取。
【請求項２】
上記柄部の主杆の下端を、上下方向に弾性変形可能な弾性部材を介して連結したことを特徴とする請求項１記載の塵取。
【請求項３】
上記弾性部材を、上記一対の側板の上部及び後板の上部に連設される板状の上板で構成したことを特徴とする請求項２記載の塵取。
【請求項４】
上記本体の側板及び／または後板の外側に上記本体内の収集物の磁着要素を磁着可能なマグネットを設け、該マグネットを、上記側板及び／または後板に付帯させて上記磁着要素を該側板及び／または後板を介して磁着可能にする磁着位置及び上記側板及び／または後板から離間させて上記磁着要素の磁着を解除する解除位置の２位置に移動可能に上記本体に支持する支持手段を設けたことを特徴とする請求項１乃至３何れかに記載の塵取。
【請求項５】
上記側板及び／または後板を上記マグネットに磁着可能な磁着材料で形成し、上記支持手段を、上記マグネットが取り付けられた取付板と、該取付板を回動可能に本体に支持し、回動により上記マグネットを上記側板及び／または後板に磁着させて上記磁着要素を該後板を介して磁着可能にする磁着位置及び上記側板及び／または後板から離間させて上記磁着要素の磁着を解除する解除位置の２位置に移動可能にするヒンジ機構とを備えて構成したことを特徴とする請求項４記載の塵取。
【発明の詳細な説明】
【技術分野】
【０００１】
本発明は、主に箒で掃き集めたごみなどの収集物を入れるための塵取に係り、特に、入れられた収集物を篩にかけて紙屑や落葉等の比較的大きいごみと石，砂等の重くて小さなごみを仕分けることを可能にした塵取に関する。
【背景技術】
【０００２】
従来、この種の塵取としては、例えば、実開昭５１−１３６６６８号公報（特許文献１）に示されるものが知られている。図９に示すように、この塵取Ｔａは、収集物Ｗを受ける受面１０１ａを有した受板１０１と、受板１０１の側部に連接される一対の側板１０２と、受板１０１及び側板１０２の後部に連設される後板１０３と、側板１０２の上部及び後板１０３の上部に連設される上板１０４とを備えた本体１００を備え、この本体１００の後板１０３に把持可能な柄部１０５を設けたものである。この塵取Ｔａにおいては、受板１０１に所定の大きさ以下の収集物Ｗが通過可能な複数の篩孔１０６を形成し、この受板１０１の受面１０１ａに篩孔１０６の開度を調節するスライド板１０７をスライド可能に設けている。スライド板１０７には篩孔１０６に対応した複数の通孔１０８が形成されており、スライド板１０７を把手１０９の操作によりスライドさせることにより、スライド板１０７の通孔１０８以外の部分で篩孔１０６を塞ぎ、篩孔１０６に通孔１０８が重合することにより篩孔１０６を開け、篩孔１０６と通孔１０７との重合程度により篩孔１０６の開度を調整可能にしている。
【０００３】
これにより、この塵取Ｔａを使用するときは、例えば、予め、スライド板１０７により篩孔１０６を塞いでおき、この状態で、柄部１０５を把持して本体１００を支持し、箒で掃き集めたごみなどの収集物Ｗを本体の受板１０１に入れる。ある程度収集物Ｗが溜まったならば、ゴミ箱などに収集物Ｗを捨てる。この場合、収集物Ｗの中に、石，砂や土等が混じっている場合には、スライド板１０７をスライドさせて篩孔１０６を開け、柄部１０５を持って本体１００を揺すると、紙屑や落葉等の比較的大きいごみは受板１０１上に残り、石，砂や土等の重くて小さなごみは篩孔１０６から落下する。そのため、石，砂や土等は地面に戻し、受板１０１上に残っている紙屑や落葉等の比較的大きいごみのみをゴミ箱に捨てることが可能になる。また、この場合、スライド板１０７のスライド程度により、篩孔１０６の開度を調整できるので、石，砂や土等の大きさに対応することできる。
【０００４】
また、例えば、予め、スライド板１０７により篩孔１０６を開けておき、この状態で、柄部１０５を把持して本体１００を支持し、箒で掃き集めたごみなどの収集物Ｗを本体１００の受板１０１に入れることもできる。この場合、収集物Ｗの中に、石，砂や土等が混じっている場合には、収集物Ｗを入れる際に、紙屑や落葉等の比較的大きいごみは受板１０１上に残り、石，砂や土等の重くて小さなごみは篩孔１０６から落下する。そのため、石，砂や土等は地面に戻し、受板１０１上に残っている紙屑や落葉等の比較的大きいごみのみをゴミ箱に捨てることが可能になる。
【０００５】
更に、土砂のみを収集物Ｗの対象として、篩として用いることもできる。この場合には、土砂を本体１００内に入れ、スライド板１０７をスライドさせて篩孔１０６を開け、柄部１０５を持って本体１００を揺すると、比較的大きい石等は受板１０１上に残り、比較的小さい石，砂や土は篩孔１０６から落下する。
この場合、スライド板１０７のスライド程度により、篩孔１０６の開度を調整できるので、石，砂や土等の大きさに対応することできる。
【先行技術文献】
【特許文献】
【０００６】
【特許文献１】実開昭５１−１３６６６８号公報
【発明の概要】
【発明が解決しようとする課題】
【０００７】
ところで、上記従来の塵取Ｔａにあっては、収集物Ｗから比較的重くて小さい石，砂や土等を篩孔１０６から落下させて取り除く際に、柄部１０５を持って本体１００を揺するが、柄部１０５は本体１００の後板１０３に突出していることから、本体１００の受板１０１の水平に対する角度が変化して、受板１０１の前端が前下がりになりやすく、紙屑や落葉等の比較的大きいごみが重くて小さい石，砂や土等とともに受板１０１から再び飛び出てしまい、そのため、分別精度に劣るという問題があった。また、柄部１０５を持って本体１００を揺するが、柄部１０５は本体１００の後板１０３に突出していることから、本体１００を支持しにくく、それだけ、操作性にも劣っているという問題があった。
【０００８】
本発明は上記の問題点に鑑みて為されたもので、本体を揺すって収集物を分別する際の操作性を向上させるとともに、受板前端から収集物を飛び出しにくくして、収集物の分別精度の向上を図った塵取を提供することを目的とする。
【課題を解決するための手段】
【０００９】
このような目的を達成するための本発明の塵取は、収集物を受ける受面を有した受板と、該受板の側部に連接される一対の側板と、上記受板及び側板の後部に連設される後板とを備えた本体を備え、該本体に該本体を正面から見て上記受板の幅方向に沿う幅方向線が水平になるように該本体を吊下して把持可能な柄部を設けた塵取であって、上記受板に所定の大きさ以下の収集物が通過可能な複数の篩孔を形成し、該受板に上記篩孔の開度を調節するスライド板をスライド可能に設けた塵取において、
上記柄部を、下端が上記本体に連結され上下方向に軸線を有した棒状の主杆と、該主杆の上端側に上記受板の前後方向に軸線を有するとともに該前後方向に進退動可能に設けられた把持可能な棒状の把持杆とを備えて構成し、上記把持杆の後退時に上記主杆を基準とした後端側が前端側より長く突出して把持可能になり、該把持杆の進出時に上記主杆を基準とした前端側が後端側より長く突出して把持可能になるように該把持杆の長さ寸法を定め、且つ、上記把持杆の後退時に該把持杆の後端側を把持したとき上記本体を側面から見て上記受板の受面が前下がりに傾斜し、上記把持杆の進出時に該把持杆の前端側を把持したとき上記本体を側面から見て上記受板の受面が前上がりに傾斜するように、上記主杆の下端の上記本体に対する連結位置を定めた構成としている。
【００１０】
これにより、この塵取を使用するときは、予め、スライド板により篩孔を塞いでおく。また、予め、把持杆を後退させておく。この状態で、把持杆の後端側を把持し、箒で掃き集めたごみなどの収集物を本体の受板に入れる。
この場合、把持杆の後端側を把持すると受板の受面が前下がりに傾斜するので、受板に収集物を入れやすくすることができる。また、把持杆は、その後退時に後端側が前端側より長く突出するので、前端側の長さが短くなり、そのため、不必要に長くならないので、邪魔になることがなく、また、受板の視界も良く、操作性が極めて良くなる。
【００１１】
そして、ある程度収集物が溜まったならば、把持杆を進出させて把持杆の前端側を把持し、ゴミ箱に搬送する。この場合、受板の受面が前上がりに傾斜するので、収集物が容易に飛び出る事態が防止される。また、把持杆は、その進出時に前端側が後端側より長く突出するので、後端側の長さが短くなり、そのため、不必要に長くならないので、把持杆が人体に当たるなど邪魔になることがなく、操作性が極めて良くなる。
【００１２】
塵取を、ゴミ箱に搬送したならば、今度は、再び、把持杆を後退させ、把持杆の後端側を把持する。これにより、受板の受面が前下がりに傾斜するので、受板から収集物をゴミ箱に排出しやすくなる。そしてまた、把持杆を進退動させる簡単な操作で、受板を傾斜させることができ、使い勝手を向上させることができる。
【００１３】
また、ある程度収集物が溜まって、把持杆を進出させて把持杆の前端側を把持し、ゴミ箱に搬送する前に、収集物の中に、石，砂や土等が混じっている場合には、スライド板をスライドさせて篩孔を開け、柄部を持って本体を揺する。これにより、紙屑や落葉等の比較的大きいごみは受板上に残り、石，砂や土等の重くて小さなごみは篩孔から落下する。そのため、石，砂や土等は地面に戻し、受板上に残っている紙屑や落葉等の比較的大きいごみのみをゴミ箱に捨てることが可能になる。
【００１４】
この場合、スライド板のスライド程度により、篩孔の開度を調整できるので、石，砂や土等の大きさに対応することできる。また、この場合、把持杆を進出させて把持杆の前端側を把持するので、受板の受面が前上がりに傾斜することから、柄部を持って本体を揺すっても、収集物が受板の前端から容易に飛び出る事態が防止され、紙屑や落葉等の比較的大きいごみが重くて小さい石，砂や土等とともに受板から再び飛び出てしまう事態を防止することができる。そのため、分別精度が向上する。更にまた、柄部を持って本体を揺するが、柄部は本体を吊下しているので揺すり易く、それだけ、操作性も大幅に向上させられる。そしてまた、把持杆を進退動させる簡単な操作で、受板を傾斜させることができ、この点でも、使い勝手を良くし、操作性を向上させることができる。
【００１５】
また、例えば、予め、スライド板により篩孔を開けておくとともに、把持杆を後退させておき、この状態で、把持杆の後端側を把持し、箒で掃き集めたごみなどの収集物を本体の受板に入れることもできる。この場合、把持杆の後端側を把持すると受板の受面が前下がりに傾斜するので、受板に収集物を入れやすくすることができる。また、この場合、収集物の中に、石，砂や土等が混じっている場合には、収集物を入れる際に、紙屑や落葉等の比較的大きいごみは受板上に残り、石，砂や土等の重くて小さなごみは篩孔から落下する。そのため、石，砂や土等は地面に戻し、受板上に残っている紙屑や落葉等の比較的大きいごみのみをゴミ箱に捨てることが可能になる。
【００１６】
更に、土砂のみを収集物の対象として、篩として用いることもできる。この場合には、土砂を本体内に入れ、スライド板をスライドさせて篩孔を開け、柄部を持って本体を揺すると、比較的大きい石等は受板上に残り、比較的小さい石，砂や土は篩孔から落下する。この場合も、把持杆を進出させて把持杆の前端側を把持し、柄部を持って本体を揺する。これにより、受板の受面が前上がりに傾斜することから、柄部を持って本体を揺すっても、収集物が受板の前端から容易に飛び出る事態が防止され、分別精度が向上する。また、柄部を持って本体を揺するが、柄部は本体を吊下しているので揺すり易く、それだけ、操作性も大幅に向上させられる。また、スライド板のスライド程度により、篩孔の開度を調整できるので、石，砂や土等の大きさに対応することできる。開度調整により、例えば、側溝の泥の水切りにも使用することができる。
【００１７】
そして、必要に応じ、上記柄部の主杆の下端を、上下方向に弾性変形可能な弾性部材を介して連結した構成としている。弾性部材としては、コイルスプリングや板バネなど適宜のものが用いられる。これにより、収集物を分別する際に、柄部を持って本体を揺するが、柄部の主杆は上下方向に弾性変形可能な弾性部材を介して連結されているので、弾性部材が上下方向に撓み、そのため、本体が良く揺れるようになる。そのため、分別を確実に行うことができるようになる。
【００１８】
また、必要に応じ、上記弾性部材を、上記一対の側板の上部及び後板の上部に連設される板状の上板で構成している。これにより、柄部を支持させやすくなり、また本体が箱状になるので、収集物の収容スペースが広くなるとともに、上板により収集物が飛び出る事態を防止することができる。また、箒で掃き集めたごみなどの収集物を本体の受板に入れる際に、受板の前端縁を地面に接するが、弾性部材である上板が上下方向に撓むので、追従性が良く、この点でも操作性が向上させられる。
【００１９】
更に、必要に応じ、上記本体の側板及び／または後板の外側に上記本体内の収集物の磁着要素を磁着可能なマグネットを設け、該マグネットを、上記側板及び／または後板に付帯させて上記磁着要素を該側板及び／または後板を介して磁着可能にする磁着位置及び上記側板及び／または後板から離間させて上記磁着要素の磁着を解除する解除位置の２位置に移動可能に上記本体に支持する支持手段を設けた構成としている。
【００２０】
これにより、本体内に収集物が入ったとき、あるいは、把持杆を持って収集物を移動させると、磁着性の例えば、鉄製の釘や缶などの磁着要素がマグネットのある側板及び／または後板に吸着される。そして、本体内のごみを捨てると、これら磁着要素が本体内に残る。その後、マグネットを、解除位置に位置させると、マグネットの磁着力が磁着要素に及ばなくなるので、これらの磁着要素を本体から排出することができる。そのため、収集物内の磁着要素を分別することができる。
【００２１】
この場合、上記側板及び／または後板を上記マグネットに磁着可能な磁着材料で形成し、上記支持手段を、上記マグネットが取り付けられた取付板と、該取付板を回動可能に本体に支持し、回動により上記マグネットを上記側板及び／または後板に磁着させて上記磁着要素を該後板を介して磁着可能にする磁着位置及び上記側板及び／または後板から離間させて上記磁着要素の磁着を解除する解除位置の２位置に移動可能にするヒンジ機構とを備えて構成したことが有効である。これにより、取付板をヒンジ機構により回動させるだけでマグネットを磁着位置及び解除位置の２位置に移動させることができるので、操作が簡単であり、操作性を向上させることができる。
【発明の効果】
【００２２】
本発明によれば、収集物を分別する際、柄部を持って本体を揺するが、柄部は本体を吊下しているので揺すり易く、それだけ、操作性を向上させることができる。また、把持杆を進出させて把持杆の前端側を把持するので、受板の受面が前上がりに傾斜することから、柄部を持って本体を揺すっても、収集物が受板の前端から容易に飛び出る事態が防止され、紙屑や落葉等の比較的大きいごみが重くて小さい石，砂や土等とともに受板から再び飛び出てしまう事態を防止することができる。そのため、分別精度を向上させることができる。更にまた、把持杆を進退動させる簡単な操作で、受板を傾斜させることができ、この点でも、使い勝手を良くし、操作性を向上させることができる。
【図面の簡単な説明】
【００２３】
【図１】本発明の実施の形態に係る塵取を示す全体斜視図である。
【図２】本発明の実施の形態に係る塵取を、マグネットに磁着要素を磁着した状態で示す正面要部斜視図である。
【図３】本発明の実施の形態に係る塵取を示す底面図であり、（ａ）は篩孔を閉じたスライド板の状態を示す図、（ｂ）は篩孔を半開にしたスライド板の状態を示す図、（ｃ）は篩孔を全開にしたスライド板の状態を示す図である。
【図４】本発明の実施の形態に係る塵取を示す背面要部斜視図であり、（ａ）はマグネットの磁着位置の状態を示す図、（ｂ）はマグネットの解除位置の状態を示す図である。
【図５】本発明の実施の形態に係る塵取を示す側面断面図である。
【図６】本発明の実施の形態に係る塵取の使用状態を示し、把持杆を後退させて把持した状態を示す側面断面図である。
【図７】本発明の実施の形態に係る塵取の使用状態を示し、把持杆を前進させて把持した状態を示す側面断面図である。
【図８】本発明の実施の形態に係る塵取の使用状態を示し、マグネットの作用を示す側面断面図である。
【図９】従来の塵取の一例を示す斜視図である。
【発明を実施するための形態】
【００２４】
以下、添付図面に基づいて、本発明の実施の形態に係る塵取について詳細に説明する。
図１乃至図８に示すように、本発明の実施の形態に係る塵取Ｔは、収集物Ｗを収納する本体１と、本体１を吊下して把持可能な柄部２０とを備えて構成されている。
【００２５】
本体１は、収集物Ｗを受ける受面２ａを有した矩形状の受板２と、受板２の側部に連接され前側が傾斜形成された一対の側板３と、受板２及び側板３の後部に連設される矩形状の後板４と、一対の側板３の上部及び後板４の上部に連設される板状の矩形状の上板５とを備えて構成されている。上板５の前後方向長さは受板２の前後方向長さの略（１／４）程度で、短く形成され、上から見て受板２の受面２ａは露出している。
【００２６】
本体１は、少なくとも後板４が後述のマグネット３０に磁着可能な磁着材料で形成されている。また、上板５は、上下方向に弾性変形可能な弾性部材で形成されている。実施の形態では、本体１は、例えば、磁着性のステンレス板などの金属板で形成され、隣接する各板は折曲形成あるいは溶接により互いに連設されている。
【００２７】
本体１の受板２は、前側部が傾斜形成されており、前側部より後側で上側から見て露出した部分には、所定の大きさ以下の収集物Ｗが通過可能な複数の篩孔６が形成されている。篩孔６は、円形であり、行列状に所定間隔で規則的に形成されている。また、受板２の裏面側には、篩孔６の開度を調節するスライド板１０がスライド可能に設けられている。スライド板１０には、篩孔６に対応して、篩孔６と同径の円形の複数の通孔１１が形成されている。スライド板１０をスライドさせることにより、スライド板１０の通孔１１以外の部分で篩孔６を塞ぎ、篩孔６に通孔１１が重合することにより篩孔６を開け、篩孔６と通孔１１との重合程度により篩孔６の開度を調整可能にしている。
【００２８】
スライド板１０は前後方向に移動可能になっており、図３に示すように、受板２の裏面にはスライド板１０の左右をガイドするガイドレール１２と、前側の停止位置を規定しスライド板１０の前端が衝止するストッパ１３とが設けられている。そして、スライド板１０は、図３（ａ）に示すように、ストッパ１３に衝止した位置で、篩孔６を全閉にし、図３（ｂ）（ｃ）に示すように、スライド板１０を後側へスライド移動させることにより、徐々に篩孔６を開き、篩孔６を全開にする。図３（ｂ）に、篩孔６を半開にした状態、図３（ｃ）に篩孔６を全開にした状態を示す。スライド板１０の後縁部は、下側に折曲形成され、スライド板１０をスライド操作するための把手部１４を形成している。また、図５乃至図８に示すように、本体１の接地時においてスライド板１０，ガイドレール１２，ストッパ１３が地面に接しないように、側板３の下縁３ａは下方に突出形成され、この下縁３ａが接地するようにしている。
【００２９】
柄部２０は、本体１に、本体１を正面から見て受板２の幅方向に沿う幅方向線Ｑ（図１及び図２）が水平になるように本体１を吊下して把持可能に設けられている。詳しくは、図１，図２，図５乃至図７に示すように、柄部２０は、下端が本体１の上板５に連結され上下方向に軸線を有した棒状の主杆２１と、主杆２１の上端側に受板２の前後方向に軸線を有するとともに、前後方向に進退動可能に設けられた把持可能な棒状の把持杆２２とを備えて構成されている。柄部２０は上板５に設けられるので、柄部２０を支持させやすくなる。主杆２１の上端部には、把持杆２２を摺動可能に保持する管状の保持部２３が設けられている。把持杆２２の前後端部には、保持部２３の前後端に衝止して保持部２３からの抜けを止める抜け止め部２４が設けられている。そして、把持杆２２は、把持杆２２の後退時（後退位置Ｘ）に主杆２１を基準とした後端側が前端側より長く突出して把持可能になり、把持杆２２の進出時（進出位置Ｙ）に主杆２１を基準とした前端側が後端側より長く突出して把持可能になるように、その長さ寸法が定められている。例えば、把持杆２２の前後に突出する部分の寸法が、１０ｃｍ〜２０ｃｍになるようにその全長が定められている。
【００３０】
また、把持杆２２において、把持杆２２の後退時に把持杆２２の後端側を把持したとき本体１を側面から見て受板２の受面２ａが前下がりに傾斜し（図６）、把持杆２２の進出時に把持杆２２の前端側を把持したとき本体１を側面から見て受板２の受面２ａが前上がりに傾斜する（図７）ように、主杆２１の下端の本体１の上板５に対する把持杆２２の連結位置が定められている。
【００３１】
更に、上述もしたように、本体１の上板５は、上下方向に弾性変形可能な弾性部材で形成されているので、具体的には、上板５が上下方向に撓み可能な板バネになっているので、柄部２０の主杆２１の下端は、上下方向に弾性変形可能な弾性部材を介して連結されることになる。
【００３２】
また、図２，図４及び図８に示すように、本体１の側板３及び／または後板４（実施の形態では後板４）の外側には、後板４の内側の収集物Ｗの磁着要素Ｗａを磁着可能な複数の板状のマグネット３０が設けられている。各マグネット３０は、支持手段３１により本体１に支持されている。支持手段３１は、各マグネット３０を、後板４に付帯させて磁着要素Ｗａを後板４を介して磁着可能にする磁着位置Ｊ、及び、後板４から離間させて磁着要素Ｗａの磁着を解除する解除位置Ｋの２位置に移動可能に、本体１に支持する。
【００３３】
詳しくは、支持手段３１は、マグネット３０が取り付けられた取付板３２と、取付板３２を回動可能に本体１の後板４の下部に支持するヒンジ機構３３を備えて構成されている。ヒンジ機構３３は、取付板３２を回動させて、マグネット３０を後板４に磁着させて磁着要素Ｗａを後板４を介して磁着可能にする磁着位置Ｊ、及び、後板４から離間させて磁着要素Ｗａの磁着を解除する解除位置Ｋの２位置に移動可能にしている。後板４と取付板３２との間には取付板３２の回動範囲を規制するチェーン等の索体３４が架設されている。符号３５は、取付板３２の外側に設けられ取付板３２の回動操作（開閉操作）を行うためのツマミである。
【００３４】
従って、この塵取Ｔを使用するときは、例えば、図３（ａ）及び図６に示すように、予め、スライド板１０により篩孔６を塞いでおく。また、予め、図６に示すように、把持杆２２を後退させておく（後退位置Ｘ）。マグネット３０も磁着位置Ｊに位置させおく。この状態で、把持杆２２の後端側を把持し、箒で掃き集めたごみなどの収集物Ｗを本体１の受板２に入れる。この場合、把持杆２２の後端側を把持すると受板２の受面２ａが前下がりに傾斜するので、受板２に収集物Ｗを入れやすくすることができる。また、把持杆２２は、その後退時に後端側が前端側より長く突出するので、前端側の長さが短くなり、そのため、不必要に長くならないので、邪魔になることがなく、また、受板２の視界も良く、操作性が極めて良くなる。また、上板５があることから、本体１が箱状になるので、収集物Ｗの収容スペースが広くなるとともに、上板５により収集物Ｗが飛び出る事態を防止することができる。また、箒で掃き集めたごみなどの収集物Ｗを本体１の受板２に入れる際に、受板２の前端縁を地面に接するが、弾性部材である上板５が上下方向に撓むので、追従性が良く、操作性が向上させられる。
【００３５】
そして、ある程度収集物Ｗが溜まったならば、図１に示すように、把持杆２２を進出させて（進出位置Ｙ）、把持杆２２の前端側を把持し、ゴミ箱に搬送する。この場合、受板２の受面２ａが前上がりに傾斜するので、収集物Ｗが容易に飛び出る事態が防止される。また、把持杆２２は、その進出時に前端側が後端側より長く突出するので、後端側の長さが短くなり、そのため、不必要に長くならないので、把持杆２２が人体に当たるなど邪魔になることがなく、操作性が極めて良くなる。
【００３６】
塵取Ｔを、ゴミ箱に搬送したならば、今度は、図６に示すように、再び、把持杆２２を後退させ（後退位置Ｘ）、把持杆２２の後端側を把持する。これにより、受板２の受面２ａが前下がりに傾斜するので、受板２から収集物Ｗをゴミ箱に排出しやすくなる。そしてまた、把持杆２２を進退動させる簡単な操作で、受板２を傾斜させることができ、使い勝手を向上させることができる。
【００３７】
また、図３（ｂ）（ｃ），図７に示すように、ある程度収集物Ｗが溜まって、把持杆２２を進出させて（進出位置Ｙ）、把持杆２２の前端側を把持し、ゴミ箱に搬送する前に、収集物Ｗの中に、石，砂や土等が混じっている場合には、スライド板１０をスライドさせて篩孔６を開け、柄部２０を持って本体１を揺する。これにより、紙屑や落葉等の比較的大きいごみは受板２上に残り、石，砂や土等の重くて小さなごみは篩孔６から落下する。そのため、石，砂や土等は地面に戻し、受板２上に残っている紙屑や落葉等の比較的大きいごみのみをゴミ箱に捨てることが可能になる。
【００３８】
この場合、図３（ｂ）（ｃ）に示すように、スライド板１０のスライド程度により、篩孔６の開度を調整できるので、石，砂や土等の大きさに対応することできる。また、この場合、把持杆２２を進出させて把持杆２２の前端側を把持するので、受板２の受面２ａが前上がりに傾斜することから、柄部２０を持って本体１を揺すっても、収集物Ｗが受板２の前端から容易に飛び出る事態が防止され、紙屑や落葉等の比較的大きいごみが重くて小さい石，砂や土等とともに受板２から再び飛び出てしまう事態を防止することができる。そのため、分別精度が向上する。
【００３９】
更にまた、図７に示すように、柄部２０を持って本体１を揺するが、柄部２０は本体１を吊下しているので揺すり易く、それだけ、操作性も大幅に向上させられる。そしてまた、把持杆２２を進退動させる簡単な操作で、受板２を傾斜させることができ、この点でも、使い勝手を良くし、操作性を向上させることができる。また、柄部２０の主杆２１の下端を、上下方向に弾性変形可能な弾性部材としての上板５に連結しているので、柄部２０を持って本体１を揺する際、弾性部材としての上板５が上下方向に撓み、そのため、本体１が良く揺れるようになる。そのため、分別を確実に行うことができるようになる。
【００４０】
また、例えば、予め、スライド板１０により篩孔６を開けておき、また、予め、把持杆２２を後退させておき、この状態で、把持杆２２の後端側を把持し、箒で掃き集めたごみなどの収集物Ｗを本体１の受板２に入れることもできる。この場合、把持杆２２の後端側を把持すると受板２の受面２ａが前下がりに傾斜するので、受板２に収集物Ｗを入れやすくすることができる。また、この場合、収集物Ｗの中に、石，砂や土等が混じっている場合には、収集物Ｗを入れる際に、紙屑や落葉等の比較的大きいごみは受板２上に残り、石，砂や土等の重くて小さなごみは篩孔６から落下する。そのため、石，砂や土等は地面に戻し、受板２上に残っている紙屑や落葉等の比較的大きいごみのみをゴミ箱に捨てることが可能になる。
【００４１】
更に、土砂のみを収集物Ｗの対象として、篩として用いることもできる。この場合には、土砂を本体１内に入れ、スライド板１０をスライドさせて篩孔６を開け、柄部２０を持って本体１を揺すると、比較的大きい石等は受板２上に残り、比較的小さい石，砂や土は篩孔６から落下する。この場合も、把持杆２２を進出させて把持杆２２の前端側を把持し、柄部２０を持って本体１を揺する。これにより、受板２の受面２ａが前上がりに傾斜することから、柄部２０を持って本体１を揺すっても、収集物Ｗが受板２の前端から容易に飛び出る事態が防止され、分別精度が向上する。また、柄部２０を持って本体１を揺するが、柄部２０は本体１を吊下しているので揺すり易く、それだけ、操作性も大幅に向上させられる。また、スライド板１０のスライド程度により、篩孔６の開度を調整できるので、石，砂や土等の大きさに対応することできる。開度調整により、例えば、側溝の泥の水切りにも使用することができる。
【００４２】
次に、マグネット３０の作用について説明する。マグネット３０を磁着位置Ｊに位置させ、把持杆２２の後端側を把持し、箒で掃き集めたごみなどの収集物Ｗを本体１の受板２に入れ、ある程度収集物Ｗが溜まって、把持杆２２を進出させて把持杆２２の前端側を把持すると、受板２の受面２ａが前上がりに傾斜することから、収集物Ｗが本体１の後板４側に移動する。後板４にはマグネット３０が磁着位置Ｊに位置しているので、図２及び図５に示すように、磁着性の例えば、鉄製の釘や缶などの磁着要素Ｗａが後板４に吸着される。そして、本体１内のごみを捨てると、これら磁着要素Ｗａが本体１内に残る。その後、図５に示すように、マグネット３０を、解除位置Ｋに位置させると、マグネット３０の磁着力が磁着要素Ｗａに及ばなくなるので、これらの磁着要素Ｗａを本体１から排出することができる。そのため、収集物Ｗ内の磁着要素Ｗａを分別することができる。この場合、取付板３２をヒンジ機構３３により回動させるだけでマグネット３０を磁着位置Ｊ及び解除位置Ｋの２位置に移動させることができるので、操作が簡単であり、操作性を向上させることができる。
【００４３】
尚、上記実施の形態において、弾性部材を上板５で構成したが、必ずしもこれに限定されるものではなく、側板３間に別途板バネを架設してこれを弾性部材としても良く、あるいは、コイルスプリングを本体１に付設して、これを弾性部材としても良く、適宜変更して差支えない。また、実施の形態において、本体１の材質は、樹脂製，金属製等どのような材料で形成しても良いことは勿論である。この場合、後板４を非磁着性材料で形成する場合には、マグネット３０板を磁着位置Ｊで保持する保持機構を別途設け、磁着位置Ｊで後板４を介してマグネット３０に磁着要素Ｗａを吸着させるようにすれば良い。但し、上記実施の形態のように後板４を磁着性材料で構成した場合には、マグネット３０の後板４への磁着により磁着位置Ｊに保持できるので、特別な保持機構を設けなくても良いことから、簡略化が図られる。更にまた、実施の形態においては、マグネット３０を本体１の後板４の外側に設けたが、必ずしもこれに限定されるものではなく、側板３の外側に設けるように構成しても良く、適宜変更して差支えない。
【符号の説明】
【００４４】
Ｔ  塵取
Ｗ  収集物
Ｗａ  磁着要素
１  本体
２  受板
２ａ  受面
３  側板
３ａ  下縁
４  後板
５  上板（弾性部材）
６  篩孔
１０  スライド板
１１  通孔
１２  ガイドレール
１３  ストッパ
１４  把手部
２０  柄部
Ｑ  幅方向線
２１  主杆
２２  把持杆
２３  保持部
２４  抜け止め部
Ｘ  後退位置
Ｙ  進出位置
３０  マグネット
３１  支持手段
Ｊ  磁着位置
Ｋ  解除位置
３２  取付板
３３  ヒンジ機構
３４  索体
３５  ツマミ
【図１】
2018038887.tif 000003
【図２】
2018038887.tif 000004
【図３】
2018038887.tif 000005
【図４】
2018038887.tif 000006
【図５】
2018038887.tif 000007
【図６】
2018038887.tif 000008
【図７】
2018038887.tif 000009
【図８】
2018038887.tif 000010
【図９】
2018038887.tif 000011